(57)【特許請求の範囲】
【請求項１】
複数のボタンを備え、該ボタンを用いた入力操作に応じてダイヤル信号を出力するプッシュボタン式電話機であって、
表示部と、
外部装置との間で画像信号を送受信するためのインタフェース部と、
前記インタフェース部を通じて前記外部装置から受信した画像信号に基づく画像を前記表示部に表示させるコンピュータ部と、を有し、
前記表示部が前記外部装置の表示画面として動作し、
前記コンピュータ部は、前記外部装置から受信した画像信号を、当該プッシュボタン式電話機と呼接続された他のプッシュボタン式電話機に送信する、プッシュボタン式電話機。
【請求項２】
前記インタフェース部は、前記外部装置との間でデジタル画像信号を送受信するデジタル画像信号用ＵＳＢインタフェースである、請求項１に記載のプッシュボタン式電話機。
【請求項３】
前記インタフェース部は、前記外部装置との間でＲＧＢの３個のアナログ画像信号を入出力するＲＧＢアナログ画像信号用インタフェースである、請求項１に記載のプッシュボタン式電話機。
【請求項４】
前記インタフェース部は、前記外部装置との間でデジタル画像信号を送受信するＤＶＩデジタル画像信号用インタフェースである、請求項１に記載のプッシュボタン式電話機。
【請求項５】
複数のボタンを備え、該ボタンを用いた入力操作に応じてダイヤル信号を出力するプッシュボタン式電話機と、
前記プッシュボタン式電話機と相互に接続される情報処理端末と、を有し、
前記プッシュボタン式電話機は、
第１の表示部と、
前記情報処理端末から受信した画像信号に基づく画像を前記第１の表示部に表示させるコンピュータ部と、を有し、
前記情報処理端末は、
第２の表示部と、
情報の入力及び操作が可能な入力部と、
前記第１および第２の表示部にて表示される画像のデータがそれぞれマッピングされる第１および第２のメモリ領域を有する記憶部と、
前記第１のメモリ領域にマッピングされた画像データに基づく第１の画像信号を前記プッシュボタン式電話機に送信して、該第１の画像信号に基づく画像を前記第１の表示部に表示させ、前記第２のメモリ領域にマッピングされた画像データに基づく第２の画像信号に基づく画像を前記第２の表示部に表示させる画像処理部と、を有し、
前記画像処理部は、前記入力部から入力操作に応じた信号を受信し、該受信信号に従って前記第１および第２の表示部に表示された画像を操作するための制御を行う、画像共有システムであって、
前記プッシュボタン式電話機と呼接続される少なくとも一つの別のプッシュボタン式電話機をさらに有し、
前記コンピュータ部は、前記情報処理端末から受信した画像信号を、呼接続された前記別のプッシュボタン式電話機に送信し、
前記別のプッシュボタン式電話機は、第３の表示部を備え、前記コンピュータ部により送信された画像信号に基づく画像を前記第３の表示部にて表示する、画像共有システム。
【請求項６】
前記画像処理部は、前記第１および第２の表示部の各画面の間で、表示された画像を移動するための制御を行う、請求項５に記載の画像共有システム。
【請求項７】
前記画像処理部は、前記第１の表示部の画面と前記第２および第３の表示部の各画面との間で、表示された画像を移動するための制御を行う、請求項５に記載の画像共有システム。
【請求項８】
それぞれが複数のボタンを備え、該ボタンを用いた入力操作に応じてダイヤル信号を出力する第１および第２のプッシュボタン式電話機と、該第１のプッシュボタン式電話機と相互に接続される情報処理端末と、を有するシステムにおいて行われる画像共有方法であって、
前記情報処理端末が、前記第１のプッシュボタン式電話機に設けられた第１の表示部にて表示される画像のデータを第１のメモリ領域にマッピングし、自端末に設けられた第２の表示部にて表示される画像のデータを第２のメモリ領域にマッピングするステップと、
前記情報処理端末が、前記第１のメモリ領域にマッピングされた画像データに基づく第１の画像信号を前記第１のプッシュボタン式電話機に送信するステップと、
前記第１のプッシュボタン式電話機が、前記情報処理端末から受信した第１の画像信号に基づく画像を前記第１の表示部にて表示し、前記情報処理端末が、前記第２のメモリ領域にマッピングされた画像データに基づく第２の画像信号に基づく画像を前記第２の表示部にて表示するステップと、
前記情報処理端末が、自端末に設けられた入力部における入力操作に応じて前記第１および第２の表示部に表示された画像を操作するための制御を行うステップと、
前記第１のプッシュボタン式電話機が、前記情報処理端末から受信した前記第１の画像信号を、呼接続された前記第２のプッシュボタン式電話機に送信し、前記第２のプッシュボタン式電話機が、前記第１のプッシュボタン式電話機により送信された前記第１の画像信号に基づく画像を、自電話機に設けられた第３の表示部にて表示するステップと、を含む、画像共有方法。
【発明の詳細な説明】
【技術分野】
【０００１】
本発明は、メカニカルなプッシュボタン式電話機に関し、特に、文字、画像、図形等のデータの表示が可能なプッシュボタン式電話機に関する。
【背景技術】
【０００２】
プッシュボタン式電話機は、携帯電話機やソフトウェアにより電話機の機能を実現するシステムに比較して、通話を行う上での使い勝手に優れるため、現在も、家庭用電話機や公衆電話機等ではこのプッシュボタン式電話機が主流となっている。最近では、画像や文字等のデータを保存したり、液晶画面にデータを表示したりすることのできるプッシュボタン式電話機もある（特許文献１参照）。
【特許文献１】特開２００３−８７４３５号公報
【発明の開示】
【発明が解決しようとする課題】
【０００３】
パーソナルコンピュータなどの入力装置（キーボード）とは異なり、プッシュボタン式電話機におけるプッシュボタンの配置は、電話番号を入力するための使い勝手の良さを考慮して設計されている。このため、プッシュボタン式電話機において、プッシュボタンを用いて画像や文字のデータを編集するのは容易ではない。
【０００４】
また、プッシュボタン式電話機の表示部は補助的なものであるため、その表示画面は小さい。小さな表示画面は、データ編集作業には不向きであるのに加えて、画像や文字等のデータを表示する場合に、データの詳細な表示が困難である。
【０００５】
加えて、プッシュボタン式電話機は、上記のようにデータ編集における作業性が悪いため、例えば、呼接続されている他の電話機に画像や文字のデータを編集して送信する、といったシチュエーションにおいて、編集作業に時間がかかり、その結果、呼接続時間が増大する。呼接続時間の増大により、請求される電話料金も増大する。
【０００６】
本発明の目的は、上記問題を解決し、画像や文字などのデータの編集を簡単に行うことのできるプッシュボタン式電話機を提供することにある。
【課題を解決するための手段】
【０００７】
上記目的を達成するため、本発明のプッシュボタン式電話機は、複数のボタンを備え、該ボタンを用いた入力操作に応じてダイヤル信号を出力するプッシュボタン式電話機であって、表示部と、外部装置との間で画像信号を送受信するためのインタフェース部と、前記インタフェース部を通じて前記外部装置から受信した画像信号に基づく画像を前記表示部に表示させるコンピュータ部と、を有し、前記表示部が前記外部装置の表示画面として動作し、前記コンピュータ部は、前記外部装置から受信した画像信号を、当該プッシュボタン式電話機と呼接続された他のプッシュボタン式電話機に送信する、ことを特徴とする。
【０００８】
また、本発明の画像共有システムは、複数のボタンを備え、該ボタンを用いた入力操作に応じてダイヤル信号を出力するプッシュボタン式電話機と、前記プッシュボタン式電話機と相互に接続される情報処理端末と、を有し、前記プッシュボタン式電話機は、第１の表示部と、前記情報処理端末から受信した画像信号に基づく画像を前記第１の表示部に表示させるコンピュータ部と、を有し、前記情報処理端末は、第２の表示部と、情報の入力及び操作が可能な入力部と、前記第１および第２の表示部にて表示される画像のデータがそれぞれマッピングされる第１および第２のメモリ領域を有する記憶部と、前記第１のメモリ領域にマッピングされた画像データに基づく第１の画像信号を前記プッシュボタン式電話機に送信して、該第１の画像信号に基づく画像を前記第１の表示部に表示させ、前記第２のメモリ領域にマッピングされた画像データに基づく第２の画像信号に基づく画像を前記第２の表示部に表示させる画像処理部と、を有し、前記画像処理部は、前記入力部から入力操作に応じた信号を受信し、該受信信号に従って前記第１および第２の表示部に表示された画像を操作するための制御を行うことを特徴とする。さらに、画像共有システムは、前記プッシュボタン式電話機と呼接続される少なくとも一つの別のプッシュボタン式電話機をさらに有する。前記コンピュータ部は、前記情報処理端末から受信した画像信号を、呼接続された前記別のプッシュボタン式電話機に送信し、前記別のプッシュボタン式電話機は、第３の表示部を備え、前記コンピュータ部により送信された画像信号に基づく画像を前記第３の表示部にて表示する。
【０００９】
上記の画像共有システムにおいて、前記画像処理部が、前記第１および第２の表示部の各画面の間で、表示された画像を移動するための制御を行ってもよい。
【発明の効果】
【００１０】
本発明のプッシュボタン式電話機によれば、プッシュボタン式電話機の表示部が外部装置の表示画面として動作するように構成したので、プッシュボタン式電話機の使用者は、プッシュボタン式電話機の表示部の画面を見ながら、外部装置の入力部（キーボードなど）を使用して表示画像の編集などの操作を行うことが可能である。これにより、データ編集における作業性が向上し、その結果、呼接続されている他の電話機に画像や文字のデータを編集して送信する、といったシチュエーションにおいて、より短時間に編集作業を行うことが可能となる。
【００１１】
本発明の画像共有システムによっても、プッシュボタン式電話機の第１の表示部が情報処理端末の表示画面として動作するので、プッシュボタン式電話機の使用者は、プッシュボタン式電話機の第１の表示部の画面を見ながら、情報処理端末の入力部（キーボードなど）を使用して表示画像の編集などの操作を行うことが可能である。これにより、データ編集における作業性が向上する。
【００１２】
加えて、第１および第２の表示部の各画面の間で、表示された画像を移動することが可能であるので、例えば、プッシュボタン式電話機の第１の表示部の画面に表示された画像を情報処理端末の第２の表示部の画面上に移動させることができる。通常、情報処理端末の第２の表示部の画面は、プッシュボタン式電話機の第１の表示部の画面に比べて大きいので、第１の表示部の画面上から第２の表示部の画面上に画像を移動させることで、より大きな画面で画像を表示することが可能となる。これにより、データの詳細な表示が可能となる。
【発明を実施するための最良の形態】
【００１３】
次に、本発明の実施形態について図面を参照して説明する。
【００１４】
図１は、本発明の一実施形態であるプッシュボタン式電話機を説明するための図であって、（ａ）は電話機を正面から見た概観図、（ｂ）は電話機の操作パネル部を示す模式図である。図２は、そのプッシュボタン式電話機のハードウェア構成を示すブロック図である。
【００１５】
図１（ａ）に示すように、プッシュボタン式電話機は、卓上型電話機であって、その主要部は、本体部４と、本体部４と有線により接続された受話器部１とからなる。本体部４と受話器部１の間の通信は無線通信であってもよい。
【００１６】
本体部４は、その筐体上部の盤面５に電話操作部５ａを有するとともに、その筐体内部に受話器部１及び電話操作部５ａに接続されたコンピュータ部３を有する。本体部４は、受話器部１を置くためのフック部を備え、このフック部にはフックスイッチ２が設けられている。
【００１７】
フックスイッチ２は、受話器部１をフック部に置いた状態（オンフック状態）と、受話器部１をフック部から取り上げた状態（オフフック状態）とをメカニカルに検出するスイッチである。フックスイッチ２は、受話器部１の状態を示すオフフック／オンフック信号を出力する。オフフック／オンフック信号は、ＵＳＢ(Universal Serial Bus)等のインタフェース経由でコンピュータ部３に供給される。
【００１８】
コンピュータ部３は、インターネットプロトコルで通信を行うＩＰソフトフォンがインストールされており、テレビ電話機能も備えている。
【００１９】
図１（ｂ）に示すように、本体部４の盤面５には、表示部１１、ラインボタン部１２、キー部１３、機能ボタン部１４、デジレスボタン部１５、カメラ部１６、スピーカー部１７、マイク部１８およびポインティングデバイス（マウス）部１９が設けられている。
【００２０】
表示部１１は、液晶ディスプレイもしくは液晶タッチパネルより構成される。表示部１１が液晶タッチパネルである場合は、ポインティングデバイス部１９を省略することができる。ラインボタン部１２は、ＵＳＢ等のインタフェースを介してコンピュータ部３と接続された複数のボタンからなる。これらボタンは、ソフトフォンの外部インタフェースに対する入出力を行う。具体的には、ソフトフォンからラインボタン点灯／消灯信号等を入力として受け取り、ソフトフォンに対してラインボタン押下信号を出力として渡す。
【００２１】
キー部１３は、ダイヤル操作を行うためのメカニカルなプッシュボタン１３ａを有する。機械的接点によりプッシュボタンのオン／オフを検出する。プッシュボタン式電話機は、プッシュボタン１３ａを用いた入力操作に応じたダイヤル信号を出力する。方向キー、リターンキー等、コンピュータの標準的なキーボードに設けられているキーのうち、ソフトフォンによる電話操作の際に主に使用されるキーのみが配置されている。
【００２２】
一般の電話のプッシュボタンの配置は、コンピュータのテンキーの配置と異なるが、ここでは、電話のプッシュボタンの配置を用いる。プッシュボタンを主としつつ、必要なキーに絞り込んで配置することにより、コンピュータと言うよりは、電話に近い外観とサイズと操作性を得ることができる。また、標準的なキーボードが使いたい場合には、コンピュータ部３のＵＳＢインタフェースにＵＳＢキーボードを接続して使用することもできる。
【００２３】
機能ボタン部１４は、リセットボタン１４ａ、保留ボタン１４ｂ、転送ボタン１４ｃおよびフックボタン１４ｄからなる。これらボタンはＵＳＢ等のインタフェースでコンピュータ部３と接続されており、ソフトフォンの外部インタフェースに対して入出力を行い、ソフトフォンに対して機能ボタン押下信号を出力として渡す。
【００２４】
リセットボタン１４ａは、電話機の状態に関わらず、電話をかけたい場合に、電話機を予め設定された状態に強制的に戻すためのボタンである。
【００２５】
デジレスボタン部１５は、ＵＳＢ等のインタフェースでコンピュータ部３と接続されており、ソフトフォンの外部インタフェース（ＡＰＩ：Application Program Interface）に対して入出力を行い、ソフトフォンに対してデジレスボタン押下信号を出力として渡す。デジレスボタン部１５の目的は、表示部１１の画面上の、デジレスボタンに隣接した部分に、デジレスボタンの機能をソフトフォンが表示することができるようにし、またソフトフォンの状態によって、その表示を変化させ、デジレスボタン押下信号の意味を、ソフトフォンが状態に応じて解釈できるようにすることである。
【００２６】
カメラ部１６は、ＵＳＢ等のインタフェースでコンピュータ部３と接続されている。コンピュータ部３にインストールされているソフトフォンもしくはアプリケーションソフトウェアが、テレビ電話／テレビ会議機能等の目的でカメラと連携する場合に、カメラ部１６が使用される。スピーカー部１７は、コンピュータ部３の音声出力に接続されている。マイク部１８は、コンピュータ部３の音声入力に接続されている。
【００２７】
ポインティングデバイス部１９は、タッチパッド／マウス等相当のポインティングデバイスであり、コンピュータ部３と接続されている。
【００２８】
図２に示すように、プッシュボタン式電話機は、ＬＡＮ（Local Area network）インタフェース２３と、デジタル画像信号用ＵＳＢインタフェース２５と、ＲＧＢアナログ画像信号入力インタフェース２６およびＲＧＢアナログ画像信号出力インタフェース２７からなるＲＧＢアナログ画像信号インタフェースと、ＤＶＩ（Digital Visual Interface）デジタル画像信号入力インタフェース２８およびＤＶＩデジタル画像信号出力インタフェース２９からなるＤＶＩデジタル画像信号インタフェースとを有する。
【００２９】
デジタル画像信号用ＵＳＢインタフェース２５は、他の端末等のデジタル画像信号用ＵＳＢインタフェースと通信線を介してデジタル画像信号の送受信を行う。コンピュータ部３は、デジタル画像信号用ＵＳＢインタフェース２５を通じて、他の端末との間でデータ通信を行うことができる。
【００３０】
ＲＧＢアナログ画像信号入力インタフェース２６は、ＲＧＢの３個のアナログ画像信号を入力するインタフェースである。ＲＧＢアナログ画像信号出力インタフェース２７は、ＲＧＢの３個のアナログ画像信号を出力するインタフェースであって、Ｄ−ＳＵＢコネクタがインタフェースとして利用される。
【００３１】
ＤＶＩデジタル画像信号入力インタフェース２８は、デジタル画像信号を入力するインタフェースである。ＤＶＩデジタル画像信号出力インタフェース２９は、デジタル画像信号を出力するインタフェースであって、ＤＶＩコネクタがインタフェースとして利用される。
【００３２】
ＬＡＮインタフェース２３は、イーサーネット用のＬＡＮインタフェースである。コンピュータ部３は、ＬＡＮインタフェース２３を通じて外部のネットワークと接続される。
【００３３】
コンピュータ部３は、プログラムにより動作するコンピュータであって、パーソナルコンピュータ（以下、パソコンと記す）やＰＤＡ（Personal Digital Assistants）等で用いられているようなオペレーティングシステムが動作するのに必要な、制御装置２１および記憶装置３２を備える。さらに、コンピュータ部３は、画像処理部２２、テレビ電話通信部２４および電源３８を備える。
【００３４】
コンピュータ部３は、パソコンやＰＤＡ等で標準的に使用されているキーボード用インタフェースを介してプッシュボタン１３ａと接続されている。コンピュータ部３は、パソコン／ＰＤＡ等で標準的に使用されているディスプレイ用インタフェースを介して表示部１１と接続されている。コンピュータ部３は、パソコン／ＰＤＡ等で標準的に使用されているポインティングデバイス用インタフェースを介してポインティングデバイス部１９と接続されている。なお、表示部１１がタッチパネルの場合は、表示部１１は、パソコン／ＰＤＡで標準的に使用されているポインティングデバイスインタフェースを介してオペレーティングシステム３６と接続される。
【００３５】
テレビ電話通信部２４は、ＬＡＮインタフェース２３を介して複数の電話機と同時に呼接続を行い、呼接続された他の複数の電話機と、同時に画像または音声による通信を行う。このテレビ電話通信部２４は、コンピュータ部３にインストールされているＩＰソフトフォンにより実現する。
【００３６】
画像処理部２２は、ＲＧＢアナログ画像信号入力インタフェース２６、ＤＶＩデジタル画像信号入力インタフェース２８、またはデジタル画像信号用ＵＳＢインタフェース２５を介して入力された画像信号を表示部１１に表示する。
【００３７】
図３は、本発明のプッシュボタン式電話機を用いた画像共有システムの構成を示すブロック図である。図３を参照すると、画像共有システムは、ＬＡＮ５３に接続される複数の電話機６〜８と、通信線５１を介して電話機６に接続された情報処理端末９と、通信線５２を介して電話機８に接続された情報処理端末５４とを有する。電話機６〜８はいずれも、図１及び図２に示したプッシュボタン式電話機である。
【００３８】
情報処理端末９、５４はいずれも、パソコンやＰＤＡに代表される、通信機能を備えたコンピュータ端末である。情報処理端末９、５４は同じ構成であるので、以下に、情報処理端末９を例に挙げて、その構成を具体的に説明する。
【００３９】
図４に、情報処理端末９のハードウェア構成を示す。図４を参照すると、情報処理端末９は、制御部３１、記憶部３２、画像処理部３３、電源３４、表示部３５、ポインティングデバイス３６、キーボード３７、およびインタフェース部を備える。
【００４０】
インタフェース部は、ＬＡＮインタフェース４１、ＲＧＢアナログ画像信号インタフェース、ＤＶＩデジタル画像信号インタフェースおよびデジタル画像信号用ＵＳＢインタフェース４２からなる。
【００４１】
ＲＧＢアナログ画像信号インタフェースは、ＲＧＢアナログ画像信号入力インタフェース４３およびＲＧＢアナログ画像信号出力インタフェース４４からなる。ＲＧＢアナログ画像信号入力インタフェース４３は、ＲＧＢの３個のアナログ画像信号を入力するインタフェースである。ＲＧＢアナログ画像信号出力インタフェース４４は、ＲＧＢの３個のアナログ画像信号を出力するインタフェースであって、Ｄ−ＳＵＢコネクタがインタフェースとして利用される。
【００４２】
ＤＶＩデジタル画像信号インタフェースは、ＤＶＩデジタル画像信号入力インタフェース４５およびＤＶＩデジタル画像信号出力インタフェース４６からなる。ＤＶＩデジタル画像信号入力インタフェース４４は、デジタル画像信号を入力するインタフェースである。ＤＶＩデジタル画像信号出力インタフェース４５は、デジタル画像信号を出力するインタフェースであって、ＤＶＩコネクタがインタフェースとして利用される。
【００４３】
デジタル画像信号用ＵＳＢインタフェース４２は、ＵＳＢコネクタを利用してデジタル画像信号の入力または出力を行う。画像処理部３３は、送信すべき画像信号を、ＵＳＤコネクタを介して送信可能なデジタル画像信号に変換し、逆に、ＵＳＤコネクタを介して入力されたデジタル画像信号を情報処理端末９で処理可能な画像信号へ復元する。
【００４４】
画像処理部３３は、マルチ表示画面機能を備える。マルチ表示画面機能は、予め入力された設定情報により、情報処理端末９で生成した１個の表示領域を、情報処理端末９で表示する表示領域と電話機６で表示する表示領域に分割する。さらに、マルチ表示画面機能は、情報処理端末９が表示する表示領域と電話機６が表示する表示領域の画像信号をそれぞれ抽出し、それぞれがディスプレイに表示可能な独立した１個の画像信号に変換する。
【００４５】
次に、図３に示した画像共有システムの動作を説明する。
【００４６】
電話機６〜８は、互いに呼接続が可能であり、テレビ電話による通信が可能である。例えば、電話機６が電話機７と呼接続すると、電話機６のテレビ電話通信部２４が、画像信号を電話機７に送信する。画像信号を受信した電話機７では、画像処理部２２が、受信画像信号からウインドウ内に画像を収めたウインドウ形式の画像信号を生成し、それを表示部１１に表示する。この動作により、電話機６のカメラ部で撮影した画像を電話機７の表示部に表示することができる。反対に、電話機７のカメラ部で撮影した画像を電話機６の表示部に表示することもできる。
【００４７】
また、電話機６と情報処理端末９は、ＲＧＢアナログ画像信号インタフェース、ＤＶＩデジタル画像信号インタフェースおよびデジタル画像信号用ＵＳＢインタフェースの中から選択された一つのインタフェースを利用して通信線５１により接続される。
【００４８】
ＲＧＢアナログ画像信号インタフェースが選択された場合は、情報処理端末９のＲＧＢアナログ画像信号出力インタフェース４４と電話機６のＲＧＢアナログ画像信号入力インタフェース２６が通信線５１により接続される。
【００４９】
ＤＶＩデジタル画像信号インタフェースが選択された場合は、情報処理端末９のＤＶＩデジタル画像信号出力インタフェース４６と電話機６のＤＶＩデジタル画像信号入力インタフェース２８が通信線５１により接続される。
【００５０】
デジタル画像信号用ＵＳＢインタフェースが選択された場合は、情報処理端末９のデジタル画像信号用ＵＳＢインタフェース４２と電話機６のデジタル画像信号用ＵＳＢインタフェース２５が通信線５１により接続される。
【００５１】
情報処理端末９では、画像処理部３３が、ポインティングデバイス３６やキーボード３７の操作部で操作可能な１個の表示領域を生成する。画像処理部３３が備えるマルチ表示画面機能は、生成した１個の表示領域を、自端末の表示部３５に表示する表示領域と電話機６が表示する表示領域に２分割する。この表示領域の分割は、左右に２分割しても、上下に２分割してもよい。
【００５２】
図５に表示領域を左右に２分割した例を示す。図５に示す例では、自端末で生成した１個の表示領域５５が左右に２分割され、図面に向かって左側が自端末で表示する表示領域５６とされ、右側が電話機６で表示する表示領域５７とされる。図６に、表示領域を上下に２分割した例を示す。図６に示す例では、自端末で生成した１個の表示領域５５が上下に２分割され、上側が自端末で表示する表示領域５６とされ、下側が電話機６で表示する表示領域５７とされる。
【００５３】
画像処理部３３は、表示領域５５の画像信号を記憶部３２にマッピングする。そして、マルチ表示画面機能が、マッピングされた表示領域５５の画像信号を左右または上下に２分割する。こうしてメモリ領域を２分割した表示領域５５において、ポインティングデバイス３６やキーボード３７の操作部を通じた移動操作により、生成された画像（例えばウインドウ形式の画面）を表示領域５６、５７の間で移動させることができる。
【００５４】
マルチ表示画面機能は、記憶部３２にマッピングされた画像信号から、自端末で表示する表示領域５６の画像信号と、電話機６で表示する表示領域５７の画像信号をそれぞれ抽出し、抽出した画像信号のそれぞれを、表示可能な独立した１個の画像信号に変換する。記憶部３２の第１のメモリ領域（表示領域５７に対応するメモリ領域）にマッピングされた画像データから電話機６で表示するための第１の画像信号が生成され、記憶部３２の第２のメモリ領域（表示領域５６に対応するメモリ領域）にマッピングされた画像データから自端末で表示するための第２の画像信号が生成される。
【００５５】
情報処理端末９では、制御部３１による制御により、画像処理部３３が、表示領域５６から抽出されて表示可能な独立した信号に変換された画像信号を表示部３５に表示させる。さらに、画像処理部３３は、表示領域５７から抽出されて表示可能な独立した信号に変換された画像信号を、通信線５１を通じて電話機６に送信する。
【００５６】
電話機６では、制御部２１による制御により、画像処理部２２が、通信線５１を通じて情報処理端末９から受信した画像信号を表示部１１に表示させる。
【００５７】
以上の画像処理部２２、３３の画像処理動作により、情報処理端末９の表示部３５と電話機６の表示部１１とを用いた、表示領域５５に基づくマルチ画面表示が可能となる。
【００５８】
マルチ画面表示が可能な状態において、情報処理端末９では、画像処理部３３のマルチ画面表示機能が、ポインティングデバイス３６またはキーボード３７から供給される、ユーザの入力操作に応じた信号に基づいて、表示領域５５において、画像や文字のデータの表示、移動、編集、消去といったデータ処理を実行する。このデータ処理の実行過程において、表示領域５６のデータは、情報処理端末９の表示部３５に表示され、表示領域５７のデータは、電話機６の表示部１１に表示される。
【００５９】
上記のマルチ画面表示によれば、ユーザは、ポインティングデバイス３６またはキーボード３７を用いた入力操作を通じて、情報処理端末９の表示部３５および電話機６の表示部１１のそれぞれで、画像、文字、図形などのデータの表示や編集の作業を行うことができる。
【００６０】
また、ユーザは、ポインティングデバイス３６またはキーボード３７を用いた入力操作を通じて、表示部１１、３５の各表示画面の間で、例えばウインドウ形式の画像（文字、図形などのデータも含む）を移動させることができる。情報処理端末９の表示部３５の画面サイズは、電話機６の表示部１１の画面サイズに比べて十分に大きいので、電話機６の表示部１１に表示されたウインドウ形式の画像の編集作業を行う場合は、その画像を情報処理端末９の表示部３５の表示画面上へ移動させることで、大きな画面での編集作業が可能となる。大きな画面で編集作業を行うことで、作業時間の短縮を図ることができ、また、より細かな編集作業が可能となる。ユーザは、ポインティングデバイス３６またはキーボード３７を用いた入力操作を通じて、表示部３５の表示画面上で編集作業を行った画像を電話機６の表示部１１の表示画面上へ移動させることができる。
【００６１】
また、電話機６では、画像処理部２２が情報処理端末９から受信した画像信号を表示するとともに、テレビ電話通信部２４がその受信した画像信号を、呼接続されている他の電話機に送信することができる。このテレビ電話通信部２４による画像信号の送信は、ＬＡＮ５３を介して行われる。テレビ電話通信部２４が画像信号を送信する他の電話機の数は、１台でも、複数台でもよい。
【００６２】
例えば、電話機６、７が呼接続状態にある場合、電話機６のテレビ電話通信部２４は、情報処理端末９から受信した画像信号を電話機７に送信する。電話機７では、テレビ電話通信部が、電話機６から受信した画像信号を表示部に表示させる。この表示動作によれば、ユーザは、情報処理端末９のポインティングデバイス３６またはキーボード３７を用いた入力操作を通じて、情報処理端末９の表示部３５に表示されたウインドウ形式の画像を、電話機６の表示部１１の表画面上に移動させると、電話機７の表示部の表示画面上にも、その移動したウインドウ形式の画像が表示される。反対に、ユーザが、情報処理端末９のポインティングデバイス３６またはキーボード３７を用いた入力操作を通じて、電話機６の表示部１１に表示されたウインドウ形式の画像を、情報処理端末９の表示部３５の表示画面上に移動すると、電話機７の表示部の表示画面上に表示されていたウインドウ形式の画像が、その表示画面外に移動する。
【００６３】
また、ユーザが、情報処理端末９のポインティングデバイス３６またはキーボード３７を用いた入力操作を通じて、情報処理端末９の表示部３５に表示されたウインドウ形式の画像の編集を行うと、その編集結果が、電話機７に表示されたウインドウ形式の画像にも反映される。
【００６４】
また、電話機６、８が呼接続状態にある場合においては、電話機６のテレビ電話通信部２４が情報処理端末９から受信した画像信号を電話機８へ送信し、電話機８のテレビ電話通信部が情報処理端末５４から受信した画像信号を電話機６へ送信する、といった動作も可能である。
【００６５】
電話機８と情報処理端末５４からなる構成は、電話機６と情報処理端末９からなる構成と同じあるので、電話機８のユーザは、情報処理端末５４のポインティングデバイスまたはキーボードを用いた入力操作を通じて、電話機６と情報処理端末９からなる構成と同様な画像の移動操作や編集作業を行うことができる。
【００６６】
したがって、ユーザは、情報処理端末５４のポインティングデバイスまたはキーボードを用いた入力操作を通じて、情報処理端末５４の表示部に表示されたウインドウ形式の画像を、電話機８の表示部の表画面上に移動させると、電話機６の表示部の表示画面上にも、その移動したウインドウ形式の画像が表示される。反対に、ユーザが、情報処理端末５４のポインティングデバイスまたはキーボードを用いた入力操作を通じて、電話機８の表示部に表示されたウインドウ形式の画像を、情報処理端末５４の表示部の表示画面上に移動すると、電話機６の表示部の表示画面上に表示されていたウインドウ形式の画像が、その表示画面外に移動する。
【００６７】
また、ユーザが、情報処理端末５４のポインティングデバイスまたはキーボードを用いた入力操作を通じて、情報処理端末５４の表示部に表示されたウインドウ形式の画像の編集を行うと、その編集結果が、電話機６に表示されたウインドウ形式の画像にも反映される。
【００６８】
なお、図３に示した画像共有システムにおいて、電話機の数は、４台以上であってもよい。
【００６９】
また、情報処理端末が接続される電話機の数は、３台以上であってもよい。
【００７０】
さらに、同時に呼接続される電話機の数は３台以上であってもよい。
【００７１】
さらに、同時に複数の電話機が呼接続状態とされる場合において、情報処理端末が接続される電話機の数が３台以上であってもよい。
【００７２】
また、電話機に接続される情報処理端末に替えて、ＲＧＢアナログ画像信号入力インタフェース、ＤＶＩデジタル画像信号入力インタフェースおよびデジタル画像信号用ＵＳＢインタフェースの少なくとも１つを備えた表示装置を用いてもよい。ただし、この場合の表示装置には、ＵＳＢインタフェース等によりキーボードなどの入力装置を接続することが望ましい。
【００７３】
以上説明したプッシュボタン式電話機によれば、自電話機の表示部が外部装置である情報処理端末の表示画面として動作するように構成したので、プッシュボタン式電話機の使用者は、プッシュボタン式電話機の表示部の画面を見ながら、外部装置の入力部（キーボードなど）を使用して表示画像の編集（文章の作成や編集を含む）などの操作を行うことが可能である。これにより、データ編集における作業性が向上し、その結果、呼接続されている他の電話機に画像や文字のデータを編集して送信する、といったシチュエーションにおいて、より短時間に編集作業を行うことが可能となる。
【００７４】
また、本発明のプッシュボタン式電話機を備える画像共有システムによっても、プッシュボタン式電話機の第１の表示部が情報処理端末の表示画面として動作するので、プッシュボタン式電話機の使用者は、プッシュボタン式電話機の第１の表示部の画面を見ながら、情報処理端末の入力部（キーボードなど）を使用して表示画像の編集などの操作を行うことが可能である。これにより、データ編集における作業性が向上する。
【００７５】
加えて、第１および第２の表示部の各画面の間で、表示された画像を移動することが可能であるので、例えば、プッシュボタン式電話機の第１の表示部の画面に表示された画像を情報処理端末の第２の表示部の画面上に移動させることができる。通常、情報処理端末の第２の表示部の画面は、プッシュボタン式電話機の第１の表示部の画面に比べて大きいので、第１の表示部の画面上から第２の表示部の画面上に画像を移動させることで、より大きな画面で画像を表示することが可能となる。これにより、データの詳細な表示が可能となる。
【００７６】
さらに、第２の表示部の画面を見ながら画像の編集（文章の作成および編集を含む）を行い、編集後に、情報処理端末の入力部（キーボードやマウス）にて操作を行うことにより、第２の表示部の画面上の画像（編集画像）を電話機の第１の表示部の画面上に移動させることができる。
【００７７】
なお、上述したプッシュボタン式電話機および情報処理端末における画像の表示や編集、移動といった処理は、プログラムをコンピュータが実行することで実現することができる。プログラムは、ＣＤ−ＲＯＭやＤＶＤなどの記録媒体を通じて提供されてもよく、また、インターネットを通じて提供されてもよい。
【図面の簡単な説明】
【００７８】
【図１】本発明の一実施形態であるプッシュボタン式電話機を説明するための図であって、（ａ）は電話機を正面から見た概観図、（ｂ）は電話機の操作パネル部を示す模式図である。図２は、そのプッシュボタン式電話機のハードウェア構成を示すブロック図である。
【図２】図１に示すプッシュボタン式電話機のハードウェア構成を示すブロック図である。
【図３】本発明のプッシュボタン式電話機を用いた画像共有システムの構成を示すブロック図である。
【図４】図３に示す情報処理端末のハードウェア構成を示すブロック図である。
【図５】表示領域を左右に２分割した例を示す模式図である。
【図６】表示領域を上下に２分割した例を示す模式図である。
【符号の説明】
【００７９】
１  受話器部
２  フックスイッチ
３  コンピュータ部
４  本体部
５  盤面
５ａ  電話操作部
１１  表示部
１２  ラインボタン
１３  キー部
１３ａ  プッシュボタン
１４  機能ボタン
１５  デジレスボタン
１６  カメラ部
１７  スピーカー部
１８  マイク部
１９  ポインティングデバイス
【図１】
0005056217.tif 000002
【図２】
0005056217.tif 000003
【図３】
0005056217.tif 000004
【図４】
0005056217.tif 000005
【図５】
0005056217.tif 000006
【図６】
0005056217.tif 000007